(57)【要約】【課題】使用者が容易に触知でき、構造がシンプルなスイッチ操作部を具備する補聴器を提供する。【解決手段】補聴器のスイッチ操作部１２は片持ち梁構造を有し、長手方向の一端の支持部１２ａが補聴器本体に取り付けられ、長手方向の他端の押圧部１２ｂが補聴器ケース１０の表面から突出する形状を有する。長手方向に沿って両端の間の所定位置の直下にはプッシュスイッチ８が設置され、押圧部１２ｂの押圧操作時にスイッチ操作部１２が下方に変位（撓み）することで、プッシュスイッチ８がスイッチ制御され、押圧部１２ｂのストロークはプッシュスイッチ８のストロークより大きくなる。【選択図】図４
2018133614.tif 000002
【特許請求の範囲】
【請求項１】
使用者の操作に応じて選択的に機能を制御するスイッチ操作部を備える補聴器であって、
前記スイッチ操作部は、片持ち梁構造を有し、長手方向の一端の近傍において補聴器本体に取り付けられるとともに、前記長手方向の他端の近傍において補聴器ケースの表面から突出する形状を有する押圧部が形成され、
前記長手方向に沿って前記一端と前記他端との間の所定位置の直下にプッシュスイッチが設置され、前記押圧部の押圧操作に伴う前記スイッチ操作部の撓みによる変位により前記プッシュスイッチがスイッチ制御され、前記押圧部のストロークは前記プッシュスイッチのストロークより大きくなることを特徴とする補聴器。
【請求項２】
前記所定位置は、前記スイッチ操作部の前記一端と前記他端との略中央の位置であることを特徴とする請求項１に記載の補聴器。
【請求項３】
前記プッシュスイッチは、タクタイルスイッチであることを特徴とする請求項１に記載の補聴器。
【請求項４】
前記補聴器本体には１又は複数のマイクロホンが設けられており、前記スイッチ操作部が前記１又は複数のマイクロホンの上方を覆うように配置されていることを特徴とする請求項１に記載の補聴器。
【発明の詳細な説明】
【技術分野】
【０００１】
本発明は、使用者の操作に応じて選択的に機能を制御するスイッチ操作部を備える補聴器に関するものである。
【背景技術】
【０００２】
一般に、補聴器は、使用者が環境に応じて補聴処理等の所望の機能を選択するために、プッシュスイッチを含むスイッチ操作部が設けられている。例えば、使用者が補聴器を装用した状態においては、補聴器を見ることなく指を用いて操作できることが望ましい。しかし、実際には補聴器を装用したままで使用者がスイッチ操作部を操作する際、実際にスイッチ制御が行われたか否かを認識することは容易ではない。特に、補聴器のプッシュスイッチはサイズが小さいことから、指で押圧する際のストロークが短いことや、使用者の皮膚の状態に影響されるなど、プッシュスイッチの良好な操作感や十分な触知を得られない場合がある。従来から、補聴器のスイッチ操作に伴う操作性の向上を図るために、プッシュスイッチをカバー部材で覆うことで使用者が指で押圧する面積を広げる手法（例えば、特許文献１の図２、図３参照）や、スイッチ操作部を傾動式支持部にて枢支傾動させることで使用者がプッシュスイッチを押圧操作し得る手法（例えば、特許文献２の図７参照）が提案されている。
【先行技術文献】
【特許文献】
【０００３】
【特許文献１】特開２００２−１５２８９３号公報
【特許文献２】特表２００２−５２４８８８号公報
【発明の概要】
【発明が解決しようとする課題】
【０００４】
特許文献１の手法を適用する場合、使用者の指とプッシュスイッチの間に面積の広いカバー部材が介在するため使用者が押圧位置を判別しやすくなるが、柔軟性のあるカバー部材を用い、その面積を広げたことにより、使用者が指でプッシュスイッチを押圧した際の反力が分散してしまうことになるので実際に押圧されたか否かの実感を得にくい。また、特許文献２の手法を適用する場合、スイッチ操作部のうち支持部と逆側の先端部にプッシュスイッチが設けられているので使用者が押圧位置を判別しやすくなるが、押圧位置の直下にプッシュスイッチが位置するため、前述のように通常のプッシュスイッチを指で押す際のストロークが短い欠点は解消されない。さらに、特許文献２のスイッチ操作部は複数の部品からなる複雑な構造であるため、組立が容易ではない。従って、本発明はこれらの問題を解決するためになされたものであり、使用者がプッシュスイッチを押圧するに際して容易に触知でき、良好な操作感が得られるとともに、構造がシンプルなスイッチ操作部を有する補聴器を提供するものである。
【課題を解決するための手段】
【０００５】
上記課題を解決するために、本発明の補聴器は、使用者の操作に応じて選択的に機能を制御するスイッチ操作部を備える補聴器であって、前記スイッチ操作部は、片持ち梁構造を有し、長手方向の一端の近傍において補聴器本体に取り付けられるとともに、前記長手方向の他端の近傍において補聴器ケースの表面から突出する形状を有する押圧部が形成され、前記長手方向に沿って前記一端と前記他端との間の所定位置の直下にプッシュスイッチが設置され、前記押圧部の押圧操作に伴う前記スイッチ操作部の撓みによる変位により前記プッシュスイッチがスイッチ制御され、前記押圧部のストロークは前記プッシュスイッチのストロークより大きくなることを特徴としている。
【０００６】
本発明の補聴器によれば、長手方向の一端で補聴器本体に取り付けたスイッチ操作部は長手方向に沿って固定端と自由端を有する片持ち梁構造となり、プッシュスイッチが長手方向に沿って固定端と自由端（押圧部）の間に位置する。よって、スイッチ操作の際に押圧部におけるストロークが、直接プッシュスイッチを押圧するのに比べて拡大し、スイッチ操作部の押圧部が突出する構造であることと相まって、使用者は補聴器の装着状態において、その補聴器を見ることなく押圧位置を容易に判別することができるとともに、押圧によるプッシュスイッチのスイッチ制御を確認し易くなるので、使用者の操作感が向上する。
【０００７】
本発明の前記所定位置は、例えば、スイッチ操作部の一端と他端との略中央の位置に設定することができる。スイッチ操作部における前述の片持ち梁構造を想定すると、固定端と自由端との中央にプッシュスイッチが位置すれば、スイッチ操作部自体の撓み変形により、プッシュスイッチ自体に比べて押圧部におけるストロークを３倍程度にすることができる。なお、プッシュスイッチの位置はスイッチ操作部の一端と他端の中央には限られないが、プッシュスイッチが自由端に近過ぎる場合はストロークを十分に拡大できないし、プッシュスイッチが固定端に近過ぎる場合はストロークが大き過ぎて違和感がある。
【０００８】
本発明のプッシュスイッチとしては、例えば、タクタイルスイッチを用いることができる。タクタイルスイッチは、内部に反転ばねを内蔵しており、押圧時に反転ばねの反応により使用者にクリック感を与えることができる。これにより、スイッチ操作部の前述の構造と相まって、使用者の押圧操作時の触知を一層高めることができる。
【０００９】
本発明において、補聴器本体に設けた１又は複数のマイクロホンの上方をスイッチ操作部により覆う配置を採用してもよい。これにより、スイッチ操作部は、プッシュスイッチの操作手段に加えて、マイクロホンのカバー部材としての機能を併せ持つことが可能である。
【発明の効果】
【００１０】
本発明によれば、補聴器のスイッチ操作部を片持ち梁構造にするとともに押圧部が部分的に突出する形状を有するので、押圧部におけるストロークをプッシュスイッチの位置に比べて拡大でき、使用者が触知しやすく良好な操作感を得ることができる。また、スイッチ操作部は複数の部品を用いることなく一体的な部材であるため、シンプルな構造により組立が容易になる。
【図面の簡単な説明】
【００１１】
【図１】本実施形態の補聴器の基本的な機能に関わるブロック構成図である。
【図２】本実施形態の補聴器全体の側面図である。
【図３】本実施形態の補聴器全体の上面図である。
【図４】図２に示す補聴器の構造のうち、所定の断面内でスイッチ操作部を含む部分的構造を拡大した断面図である。
【発明を実施するための形態】
【００１２】
以下、本発明の好適な実施形態について、図面を参照しながら説明する。ただし、以下に述べる実施形態は本発明の技術思想を適用した形態の一例であって、本発明が本実施形態の内容により限定されることはない。
【００１３】
本発明を適用した補聴器１の一実施形態に関し、図１〜図４を参照しながら全体的な構成及び構造の概略について説明する。図１は、本実施形態の補聴器１の基本的な機能に関わるブロック構成図を示している。図１においては、補聴器１の機能要素として、マイクロホン２、補聴処理部３、増幅回路４、イヤホン５、機能選択部６、記憶部７、プッシュスイッチ８、スイッチ検知部９が示されている。
【００１４】
以上の構成において、マイクロホン２は、外部空間から伝わる音を収集して電気信号に変換する。補聴処理部３は、マイクロホン２の出力信号に対し、各々の使用者に適合して個別に設定された所定の補聴処理を施す。補聴処理部３により補聴処理が施された信号は、増幅回路４によって所定のゲインで増幅された後、イヤホン５により音に変換され、その音が使用者の外耳道内に出力される。
【００１５】
記憶部７には、複数の機能に対応付けられた複数の補聴処理プログラムが記憶されている。機能選択部６は、所望の機能に対応する補聴処理プログラムを記憶部７から選択的に読み出し、それを補聴処理部３における補聴処理として設定する。プッシュスイッチ８は、使用者が後述の操作により押圧するスイッチ手段であり、スイッチ検知部９は、プッシュスイッチ８の押圧による導通状態の変化を電気的に検知する回路である。よって、機能選択部６では、スイッチ検知部９における検知結果に適合するプログラムが選択される。
【００１６】
記憶部７に記憶される複数の補聴処理プログラムは、例えば、使用環境に適合する音量や音質など多様な特性の設定に関連付けることができる。この場合、機能選択部６では、使用者によるプッシュスイッチ８の押圧回数や押圧時間に応じて機能選択部６における選択を切り替えることができる。
【００１７】
次に、図２〜図４を参照して、本実施形態の補聴器１の構造について説明する。本実施形態の補聴器１全体の外観に関し、図２は側面図を示すとともに、図３は上面図を示している。本実施形態の補聴器１は、例えば耳かけ型補聴器であって、補聴器本体の補聴器ケース１０と、ロックピン１１を介して補聴器ケース１０の上部に取り付けられるスイッチ操作部１２と、電源であるボタン電池を内蔵する電池ホルダ１３と、補聴器ケース１０の一端から延伸する音導チューブ１４と、音導チューブ１４の先端に接続されるイヤチップ（不図示）とを備えている。
【００１８】
補聴器ケース１０は、複数のケース部材を組み合わせて構成されており、スイッチ操作部１２及び電池ホルダ１３を含めて一体的に滑らかな全体形状を有する。補聴器本体には、図１の各機能要素が含まれる。ロックピン１１は、補聴器ケース１０の開口部に挿入され、補聴器本体にスイッチ操作部１２及び音導チューブ１４を着脱自在に取り付ける役割がある。
【００１９】
スイッチ操作部１２は、補聴器ケース１０の上部に沿って配置され、補聴器ケース１０の形状に適合する滑らかな表面形状を有する。スイッチ操作部１２は、例えば、ＡＢＳ又はポリカーボネート等の適度な弾性を有する材料で形成されている。スイッチ操作部１２において、長手方向の一端の近傍には補聴器本体と固定される支持部１２ａが形成され、他端の近傍にはスイッチ操作時に使用者が指で押圧する押圧部１２ｂが形成されている。
【００２０】
ここで、図４を参照して、図２のスイッチ操作部１２の具体的な構造を説明する。図４は、図２に示す補聴器本体の構造のうち、所定の断面内でスイッチ操作部１２を含む部分的構造を拡大した断面図である。スイッチ操作部１２は、一端の支持部１２ａから他端の押圧部１２ｂに至る長手方向に沿って形成され、略中央の位置Ｐ（本発明の所定位置）の直下には前述の図１に示したプッシュスイッチ８が配置されている。これにより、押圧部１２ｂへの押圧操作により、支持部１２ａを支点として位置Ｐの下面がプッシュスイッチ８の先端を下方に押し込むことで、スイッチ制御可能な構造となっている。
【００２１】
スイッチ操作部１２のうち、支持部１２ａは補聴器ケース１０の先端側の構成部分と接する領域に形成され、支持部１２ａの下方側がロックピン１１（図２）を介して補聴器本体に固定される。本実施形態では、スイッチ操作部１２は補聴器本体に対し着脱自在であり、スイッチ操作部１２を補聴器本体から取り外す場合は、前述のロックピン１１を抜けばよい。ただし、スイッチ操作部１２を補聴器本体から取り外せないように部分的に固定した構造であっても、本発明の適用は可能である。
【００２２】
スイッチ操作部１２のうち、押圧部１２ｂは、長手方向に沿って支持部１２ａと対向する他端の近傍の領域に形成されている。図４に示すように、押圧部１２ｂは滑らかな凸状の断面形状を有している。このような構造により、補聴器を装用した使用者が上方から指で押圧部１２ｂの位置を容易に判別することができる。なお、使用者による押圧部１２ｂの触知を向上するには、押圧部１２ｂの凸形状が指で識別できる程度に突出していることが望ましい。例えば、成人や子供を対象とした場合、図４で示す押圧部１２ｂは、高さが１ｍｍ程度、幅が２ｍｍ程度、先端が角度８０°程度でアールを形成した断面形状を有する。押圧部１２ｂの直下の部分は所定の間隙を介して補聴器ケース１０と対向しているので、押圧部１２ｂが支持部１２ａを支点として上下方向にある程度変位する構造となっている。
【００２３】
スイッチ操作部１２の下方には、補聴器ケース１０を挟んで、後述のマイクロホンユニット２０が設置されている。そして、マイクロホンユニット２０の上部の基板２１のうち、支持部１２ａと押圧部１２ｂの略中央の位置Ｐの直下に前述のプッシュスイッチ８が載置されている。このプッシュスイッチ８は、基板２１に半田付けされており、基板２１上に形成された配線パターンを経由してプッシュスイッチ８とスイッチ検知部９（図１）が電気的に接続されている。図４に示すように、スイッチ操作部１２の位置Ｐの下面がプッシュスイッチ８の上端に接する位置関係にあるので、スイッチ操作部１２の位置Ｐにおける下方への変位量に応じて下方に押し込まれたプッシュスイッチ８が動作する。
【００２４】
ここで、スイッチ操作部１２の全体は、長手方向に沿って固定端（支持部１２ａ）と自由端（押圧部１２ｂ）を有する片持ち梁構造として把握することができる。そのため、固定端の支持部１２ａを支点として自由端の押圧部１２ｂに力を印可したとき、その力が位置Ｐを介して下方のプッシュスイッチ８に作用するものである。この場合、位置Ｐが支持部１２ａと押圧部１２ｂの略中央に設定されるため、プッシュスイッチ８におけるストロークに比べて、押圧部１２ｂにおけるストロークは３倍程度（例えば、引用文献２の操作スイッチのように、ほとんど撓まない剛体を用いる場合は、２倍程度）を確保することができる。よって、仮に使用者が指で直接プッシュスイッチ８を押圧するのに比べ、相対的に大きなストロークで押圧部１２ｂを押し込むことができ、スイッチ操作時の触知を得やすくなる効果がある。
【００２５】
なお、本実施形態では、プッシュスイッチ８の位置に対応する位置Ｐがスイッチ操作部１２の片持ち梁構造の略中央に設定されるが、プッシュスイッチ８が長手方向に沿って中央から支持部１２ａ及び押圧部１２ｂのいずれかに近い方向に配置される場合であっても本発明の適用は可能である。ただし、プッシュスイッチ８の位置が自由端（押圧部１２ｂ）に近過ぎると、前述のストロークの倍率が１に近づいていくので、触知の効果が弱くなる。また、プッシュスイッチ８の位置が固定端（支持部１２ａ）に近過ぎると、前述のストロークの倍率が多くなり過ぎて、使用者によるスイッチ操作に違和感を与える。よって、プッシュスイッチ８の位置は、スイッチ操作部１２の両端に近くなり過ぎない範囲内で、材料の物性に応じて適切に設定する必要がある。
【００２６】
一方、マイクロホンユニット２０の基板２１の裏面には、２つのマイクロホン２ａ、２ｂ（図１のマイクロホン２に相当）が実装されている。補聴器ケース１０には、それぞれのマイクロホン２ａ、２ｂ用の集音口２２ａ、２２ｂが設けられており、それぞれの集音口２２ａ、２２ｂの上部をスイッチ操作部１２が覆う構造となっている。外部からの音は、スイッチ操作部１２と補聴器ケース１０の隙間から集音口２２ａ、２２ｂを経由して、それぞれのマイクロホン２ａ、２ｂに入力されるとともに、異物等は、スイッチ操作部１２で覆われているので、マイクロホン２ａ、２ｂ（集音口２２ａ、２２ｂ）へ直接侵入することを防止可能となる。このように本実施形態のスイッチ操作部１２は、プッシュスイッチ８を操作する手段に加えて、マイクロホン２ａ、２ｂのカバー部材としての役割を有する。ただし、スイッチ操作部１２の下方にマイクロホンを配置しない構造であっても、本発明の適用は可能である。
【００２７】
本実施形態において、使用者が押圧する際にクリック感を得るには、プッシュスイッチ８としてタクタイルスイッチを採用することが望ましい。すなわち、タクタイルスイッチは内部に反転ばねを内蔵し、スイッチオンとなったときの反転ばねの反応によってクリック感を与えるものである。よって、タクタイルスイッチの採用により、使用者がスイッチ操作部１２の操作時にスイッチ制御が行われたか否かをより確実に触知することができる。
【００２８】
以上説明したように、本実施形態で説明したスイッチ操作部１２の構造を採用することにより、片持ち梁構造の固定端と自由端の略中央の直下に配置したプッシュスイッチ８を、押圧部１２ｂの押圧操作によりスイッチ制御し得る補聴器１を実現することができる。これにより、スイッチ操作部１２を複数の部品から構成した複雑な構造にすることなく、使用者は十分な触知と良好な操作感を得ることができる。また、押圧部１２ｂが適度なサイズの凸形状として形成されるので、使用者が押圧位置を容易に判別することができる。さらに、スイッチ操作部１２をマイクロホンユニット２０内のマイクロホン２ａ、２ｂを覆うように配置することで、スイッチ操作部１２に対しマイクロホン用カバー部材としての機能を持たせることができる。
【００２９】
以上、本実施形態に基づき本発明の内容を具体的に説明したが、本発明は上述の実施形態に限定されるものではなく、その要旨を逸脱しない範囲で多様な変更を施すことができる。例えば、本実施形態の補聴器１としては、耳かけ型補聴器に加えて、耳あな型補聴器などを含む多様な種別の補聴器に対して本発明を適用することができる。また、その他の点についても、本発明の作用効果を得られる限り、上記実施形態に開示した内容には限定されることなく、適宜に変更可能である。
【符号の説明】
【００３０】
１…補聴器
２（２ａ、２ｂ）…マイクロホン
３…補聴処理部
４…増幅回路
５…イヤホン
６…機能選択部
７…記憶部
８…プッシュスイッチ
９…スイッチ検知部
１０…補聴器ケース
１１…ロックピン
１２…スイッチ操作部
１２ａ…支持部
１２ｂ…押圧部
１３…電池ホルダ
１４…音導チューブ
２０…マイクロホンユニット
２１…基板
２２ａ、２２ｂ…集音口
【図１】
2018133614.tif 000003
【図２】
2018133614.tif 000004
【図３】
2018133614.tif 000005
【図４】
2018133614.tif 000006
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
使用者の操作に応じて選択的に機能を制御するスイッチ操作部を備える補聴器であって、
前記スイッチ操作部は、片持ち梁構造を有し、長手方向の一端の近傍において補聴器本体に取り付けられるとともに、前記長手方向の他端で補聴器ケースの表面が屈曲する近傍において、前記補聴器ケースの表面から突出する形状を有する押圧部が形成され、
前記長手方向に沿って前記一端と前記他端との間の所定位置の直下にプッシュスイッチが設置され、前記押圧部の押圧操作に伴う前記スイッチ操作部の撓みによる変位により前記プッシュスイッチがスイッチ制御され、前記押圧部のストロークは前記プッシュスイッチのストロークより大きくなり、
前記押圧部は、指で識別できる程度に突出する凸状の断面形状を有し、前記凸状の先端を挟んで所定の角度をなして滑らかなアールを形成し、
前記長手方向に沿って、前記押圧部のうち前記凸状の先端から前記他端側の端までの表面は、前記補聴器ケースの屈曲する表面と滑らかに連なる、
ことを特徴とする補聴器。
【請求項２】
前記所定位置は、前記スイッチ操作部の前記一端と前記他端との略中央の位置であることを特徴とする請求項１に記載の補聴器。
【請求項３】
前記プッシュスイッチは、タクタイルスイッチであることを特徴とする請求項１に記載の補聴器。
【請求項４】
前記補聴器本体には１又は複数のマイクロホンが設けられており、前記スイッチ操作部が前記１又は複数のマイクロホンの上方を覆うように配置されていることを特徴とする請求項１に記載の補聴器。
【手続補正２】
【補正対象書類名】明細書
【補正対象項目名】０００５
【補正方法】変更
【補正の内容】
【０００５】
上記課題を解決するために、本発明の補聴器は、使用者の操作に応じて選択的に機能を制御するスイッチ操作部を備える補聴器であって、前記スイッチ操作部は、片持ち梁構造を有し、長手方向の一端の近傍において補聴器本体に取り付けられるとともに、前記長手方向で補聴器ケースの表面が屈曲する近傍において、前記補聴器ケースの表面から突出する形状を有する押圧部が形成され、前記長手方向に沿って前記一端と前記他端との間の所定位置の直下にプッシュスイッチが設置され、前記押圧部の押圧操作に伴う前記スイッチ操作部の撓みによる変位により前記プッシュスイッチがスイッチ制御され、前記押圧部のストロークは前記プッシュスイッチのストロークより大きくなり、前記押圧部は、指で識別できる程度に突出する凸状の断面形状を有し、前記凸状の先端を挟んで所定の角度をなして滑らかなアールを形成し、前記長手方向に沿って、前記押圧部のうち前記凸状の先端から前記他端側の端までの表面は、前記補聴器ケースの屈曲する表面と滑らかに連なることを特徴としている。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
使用者の操作に応じて選択的に機能を制御するスイッチ操作部を備える補聴器であって、
前記スイッチ操作部は、片持ち梁構造を有し、長手方向の一端の近傍において補聴器本体に取り付けられるとともに、前記長手方向の他端で補聴器ケースの表面が屈曲する部分の近傍において、前記補聴器ケースの表面から突出する形状を有する押圧部が形成され、
前記長手方向に沿って前記一端と前記他端との間の所定位置の直下にプッシュスイッチが設置され、前記押圧部の押圧操作に伴う前記スイッチ操作部の撓みによる変位により前記プッシュスイッチがスイッチ制御され、前記押圧部のストロークは前記プッシュスイッチのストロークより大きくなり、
前記押圧部は、指で識別できる程度に突出する凸状の略三角形の断面形状を有し、前記凸状の先端を挟んで所定の角度をなして滑らかなアールを形成し、
前記長手方向に沿って、前記押圧部のうち前記凸状の略三角形の頂点から前記他端側の端までの表面は、前記補聴器ケースの屈曲する表面と滑らかに連なる
ことを特徴とする補聴器。
【請求項２】
前記所定位置は、前記スイッチ操作部の前記一端と前記他端との略中央の位置であることを特徴とする請求項１に記載の補聴器。
【請求項３】
前記プッシュスイッチは、タクタイルスイッチであることを特徴とする請求項１に記載の補聴器。
【請求項４】
前記補聴器本体には１又は複数のマイクロホンが設けられており、前記スイッチ操作部が前記１又は複数のマイクロホンの上方を覆うように配置されていることを特徴とする請求項１に記載の補聴器。
【手続補正２】
【補正対象書類名】明細書
【補正対象項目名】０００５
【補正方法】変更
【補正の内容】
【０００５】
上記課題を解決するために、本発明の補聴器は、使用者の操作に応じて選択的に機能を制御するスイッチ操作部を備える補聴器であって、前記スイッチ操作部は、片持ち梁構造を有し、長手方向の一端の近傍において補聴器本体に取り付けられるとともに、前記長手方向で補聴器ケースの表面が屈曲する部分の近傍において、前記補聴器ケースの表面から突出する形状を有する押圧部が形成され、前記長手方向に沿って前記一端と前記他端との間の所定位置の直下にプッシュスイッチが設置され、前記押圧部の押圧操作に伴う前記スイッチ操作部の撓みによる変位により前記プッシュスイッチがスイッチ制御され、前記押圧部のストロークは前記プッシュスイッチのストロークより大きくなり、前記押圧部は、指で識別できる程度に突出する凸状の略三角形の断面形状を有し、前記凸状の先端を挟んで所定の角度をなして滑らかなアールを形成し、前記長手方向に沿って、前記押圧部のうち前記凸状の略三角形の頂点から前記他端側の端までの表面は、前記補聴器ケースの屈曲する表面と滑らかに連なることを特徴としている。